【手続補正書】
【提出日】平成18年3月10日(2006.3.10)
【手続補正１】
【補正対象書類名】明細書
【補正対象項目名】発明の名称
【補正方法】変更
【補正の内容】
【発明の名称】ディスク装置とそのスレッド移動機構
【手続補正２】
【補正対象書類名】明細書
【補正対象項目名】特許請求の範囲
【補正方法】変更
【補正の内容】
【特許請求の範囲】
【請求項１】
ディスク状記録媒体にデータを記録及び／又は再生する手段が搭載されたスレッドと、
上記スレッドをガイド部材で案内してディスク状記録媒体の内外周間で移動するスレッド移動機構を備え、
上記スレッド移動機構をスレッド駆動モータと、そのモータによって駆動されるギアトレインの出力端に配置されたピニオンと、上記スレッドに固定されて上記ピニオンが噛合されるラックで構成したディスク装置のスレッド移動機構において、
上記ラックを２枚のラック間にスライド付勢手段を介在し、何れか一方のラックをスレッドに固定したバックラッシュ・キャンセル機能付のダブルラックに構成し、
上記ピニオンを上記ダブルラックの各ラックにそれぞれ噛合され、かつ、バックラッシュ・キャンセル機能を持たない２枚の重ねピニオンで構成し、
上記２枚の重ねピニオンの入力側に１枚のギアをこれら２枚の重ねピニオンに共通に噛合させて配置した
ことを特徴とするディスク装置。
【請求項２】
ディスク状記録媒体にデータを記録及び／又は再生する手段が搭載されたスレッドと、
上記スレッドをガイド部材で案内してディスク状記録媒体の内外周間で移動するスレッド移動機構を備え、
上記スレッド移動機構をスレッド駆動モータと、そのモータによって駆動されるギアトレインの出力端に配置されたピニオンと、上記スレッドに固定されて上記ピニオンが噛合されるラックで構成したディスク装置のスレッド移動機構において、
上記ラックを２枚のラック間にスライド付勢手段を介在し、何れか一方のラックをスレッドに固定したバックラッシュ・キャンセル機能付のダブルラックに構成し、
上記ピニオンを上記ダブルラックの各ラックにそれぞれ噛合され、かつ、バックラッシュ・キャンセル機能を持たない２枚の重ねピニオンで構成し、
上記２枚の重ねピニオンの入力側に１枚のギアをこれら２枚の重ねピニオンに共通に噛合させて配置した
ことを特徴とするディスク装置のスレッド移動機構。
【請求項３】
ディスク状記録媒体にデータを記録及び／又は再生する手段が搭載されたスレッドと、
上記スレッドをガイド部材で案内してディスク状記録媒体の内外周間で移動するスレッド移動機構を備え、
上記スレッド移動機構をスレッド駆動モータと、そのモータによって駆動されるギアトレインの出力端に配置されたピニオンと、上記スレッドに固定されて上記ピニオンが噛合されるラックで構成したディスク装置のスレッド移動機構において、
上記ラックを２枚のラック間にスライド付勢手段を介在し、何れか一方のラックをスレッドに固定したバックラッシュ・キャンセル機能付のダブルラックに構成し、
上記ピニオンを上記ダブルラックの各ラックにそれぞれ噛合され、かつ、バックラッシュ・キャンセル機能を持たない２枚の重ねピニオンで構成し、
上記２枚の重ねピニオンの入力側に１枚のギアをこれら２枚の重ねピニオンに共通に噛合させて配置し、
上記１枚のギアと上記モータの出力ギアとの間に配置される複数のギア中に２枚のギア間に回転付勢手段を配置したバックラッシュ・キャンセル機能付のダブルギアを配置した
ことを特徴とするディスク装置のスレッド移動機構。
【請求項４】
ディスク状記録媒体にデータを記録及び／又は再生する手段が搭載されたスレッドと、
上記スレッドをガイド部材で案内してディスク状記録媒体の内外周間で移動するスレッド移動機構を備え、
上記スレッド移動機構をスレッド駆動モータと、そのモータによって駆動されるギアトレインの出力端に配置されたピニオンと、上記スレッドに固定されて上記ピニオンが噛合されるラックで構成したディスク装置のスレッド移動機構において、
上記ラックを１枚で構成し、
上記ピニオンを上記１枚のラックに共通に噛合され、かつ、バックラッシュ・キャンセル機能を持たない２枚のピニオンを配置し、
上記２枚の重ねピニオンの入力側に、その２枚の重ねピニオンにそれぞれ噛合された２枚のギア間に回転付勢手段を介在したバックラッシュ・キャンセル機能付のダブルギアを配置した
ことを特徴とするディスク装置のスレッド移動機構。
【請求項５】
ディスク状記録媒体にデータを記録及び／又は再生する手段が搭載されたスレッドと、
上記スレッドをガイド部材で案内してディスク状記録媒体の内外周間で移動するスレッド移動機構を備え、
上記スレッド移動機構をスレッド駆動モータと、そのモータによって駆動されるギアトレインの出力端に配置されたピニオンと、上記スレッドに固定されて上記ピニオンが噛合されるラックで構成したディスク装置のスレッド移動機構において、
上記ラックを１枚で構成し、
上記ピニオンを上記１枚のラックに共通に噛合され、かつ、バックラッシュ・キャンセル機能を持たない２枚のピニオンを配置し、
上記２枚の重ねピニオンの入力側に、その２枚の重ねピニオンにそれぞれ噛合された２枚のギア間に回転付勢手段を介在したバックラッシュ・キャンセル機能付のダブルギアを配置し、
上記モータの出力ギアを２枚のギア間に回転付勢手段を介在させたバックラッシュ・キャンセル機能付のダブルギアに構成し、
上記一対のダブルギア間にバックラッシュ・キャンセル機能を持たない２枚の重ねギアを配置した
ことを特徴とするディスク装置のスレッド移動機構。
【手続補正３】
【補正対象書類名】明細書
【補正対象項目名】０００１
【補正方法】変更
【補正の内容】
【０００１】
【発明の属する技術分野】
本発明は、光ディスクに光学ピックアップ等の記録及び／又は再生手段によってデータを記録及び／又は再生するディスク装置とそのスレッド移動機構の技術分野に属するものである。
【手続補正４】
【補正対象書類名】明細書
【補正対象項目名】０００５
【補正方法】変更
【補正の内容】
【０００５】
本発明は、上記の問題を解決するためになされたものであって、最少のバックラッシュ・キャンセル機能で、スレッド移動機構のギアトレイン中のバックラッシュによるギアのガタを取り除くことができるようにしたディスク装置とそのスレッド移動機構を提供することを目的としている。
【手続補正５】
【補正対象書類名】明細書
【補正対象項目名】０００６
【補正方法】変更
【補正の内容】
【０００６】
【課題を解決するための手段】
上記の目的を達成するための本発明のディスク装置は、スレッド駆動モータによって駆動されるギアトレインの出力端に配置したピニオンでスレッドに固定されたラックを駆動することにより、データの記録及び／又は再生手段が搭載されたスレッドをディスク状記録媒体の内外周間で移動させるようにしたディスク装置のスレッド移動機構において、ラックを２枚のラック間にスライド付勢手段を介在し、何れか一方のラックをスレッドに固定したバックラッシュ・キャンセル機能付のダブルラックに構成し、そのダブルラックを駆動するピニオンをそのダブルラックの各ラックにそれぞれ噛合され、かつ、バックラッシュ・キャンセル機能を持たない２枚の重ねピニオンで構成し、その２枚の重ねピニオンの入力側に１枚のギアをこれら２枚の重ねピニオンに共通に噛合させたものである。
【手続補正６】
【補正対象書類名】明細書
【補正対象項目名】０００７
【補正方法】変更
【補正の内容】
【０００７】
上記のように構成された本発明のディスク装置は、スレッド移動機構のギアトレイン中のラックをバックラッシュ・キャンセル機能付のダブルラックに構成し、そのダブルラックを駆動するピニオンを各ラックにそれぞれ噛合され、かつ、バックラッシュ・キャンセル機能を持たない２枚の重ねラックを介して入力側の１枚のギアに共通に噛合させたので、ギアトレイン中の１枚のギアとピニオンとラックとの３枚のギア・ラック間でバックラッシュによるギアのガタを取り除くことができる。
【手続補正７】
【補正対象書類名】明細書
【補正対象項目名】０００８
【補正方法】変更
【補正の内容】
【０００８】
【発明の実施の形態】
以下、本発明を適用したディスク装置とそのスレッド移動機構の実施の形態を図を参照しながら、以下の順序で説明する。
（１）  ・・・  スレッド移動機構のギアトレインの説明
（２）  ・・・  光ディスク装置の概要説明
（３）  ・・・  スピンドルモータ及び光学ピックアップの昇降機構の説明
（４）  ・・・  ローディング機構の説明
【手続補正８】
【補正対象書類名】明細書
【補正対象項目名】図面の簡単な説明
【補正方法】変更
【補正の内容】
【図面の簡単な説明】
【図１】
本発明ディスク装置とそのスレッド移動機構を光ディスク装置に適用した実施の形態におけるスレッド移動機構のギアトレイン及びラックの第１の実施形態を説明する側面図である。
【図２】
同上の第２の実施形態を説明する側面図である。
【図３】
図１の平面図である。
【図４】
図３のギア噛合部を示した拡大平面図である。
【図５】
同上の第１の実施形態の分解斜視図である。
【図６】
スレッド移動機構を説明する斜視図である。
【図７】
光ディスク装置全体の斜視図である。
【図８】
光ディスク装置全体の分解斜視図である。
【図９】
同上の光ディスク装置のシャーシ、スレッド移動機構及びチャッキングプーリ、駆動ユニットの分解斜視図である。
【図１０】
光ディスク装置の上カバー外した斜視図である。
【図１１】
図１のディスクトレーを引き出した時の斜視図である。
【図１２】
シャーシの全内部機構を示した平面図である。
【図１３】
ディスクトレーのアンローディング状態を示した平面図である。
【図１４】
ディスクトレーのローディング状態を示した平面図である。
【図１５】
ディスクトレーの下面のＪ型ラック及びＪ型ガイド溝を示した下面図である。
【図１６】
ディスクトレーのアンローディング状態を示した一部切欠き平面図である。
【図１７】
ディスクトレーのローディング状態を示した一部切欠き平面図である。
【図１８】
昇降機構のアンローディング状態を示した一部切欠き側面図である。
【図１９】
昇降機構のローディング状態を示した一部切欠き側面図である。
【図２０】
チャッキング機構のチャッキング解除状態を示した一部切欠き側面図である。
【図２１】
チャッキング機構のチャッキング状態を示した一部切欠き側面図である。
【図２２】
駆動ユニットのアンローディング状態の平面図である。
【図２３】
図２２のギアトレインを外した状態の平面図である。
【図２４】
駆動ユニットのローディング状態の平面図である。
【図２５】
図２４のギアトレインを外した状態の平面図である。
【図２６】
駆動ユニットのカムカバーとカム従動ピンを示した分解斜視図である。
【図２７】
同上のカムカバーによるカム従動ピンの昇降動作を説明する一部切欠き側面図である。
【図２８】
図２７の断面側面図である。
【図２９】
従来の光ディスク装置のスレッド移動機構を示した斜視図である。
【図３０】
従来の光ディスク装置のスレッド移動機構のギアトレイン及びラックを示した斜視図である。
【図３１】
図３０の一部を展開して示した側面図である。 
【図３２】
図３１の平面図である。
【図３３】
図２２のギア噛合部の一部を拡大して示した平面図である。